【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
操作を受付ける操作受付手段と、
画像処理装置が修理依頼中であるかを判定する判定手段と、
前記判定手段によって画像処理装置が修理依頼中である場合、修理依頼内容と前記操作により行われる処理内容とにかかる情報を表示する表示手段と、
を備えたことを特徴とする画像処理装置。
【請求項２】
前記判定手段によって画像処理装置が修理依頼中であると判定した場合、修理依頼内容に従って、前記操作により行われる処理内容で処理可能かを判定する処理判定手段を備え、
前記表示手段は、前記処理判定手段によって判定した結果を表示することを特徴とする請求項１に記載の画像処理装置。
【請求項３】
前記処理判定手段は、前記修理依頼内容に対して前記操作により行われる処理内容で自身の画像処理装置で処理可能であれば処理可能と判定し、一方、処理可能でなければ処理不可能と判定し、
前記表示手段は、前記処理判定手段によって処理可能と判定した場合、前記修理依頼内容に対して前記操作により行われる処理内容で自身の画像処理装置で処理可能であることを表示することを特徴とする請求項２に記載の画像処理装置。
【請求項４】
前記表示手段は、画像処理装置にエラーが生じている場合は、前記修理依頼内容と前記操作により行われる処理内容とにかかる情報を表示しないことを特徴とする請求項１乃至３の何れか１項に記載の画像処理装置。
【請求項５】
前記表示手段は、前記判定手段によって画像処理装置が修理依頼中であると判定した場合、自身の画像処理装置と異なる他の画像処理装置を表示することを特徴とする請求項１乃至４の何れか１項に記載の画像処理装置。
【請求項６】
前記表示手段は、他の画像処理装置が溜置印刷機能を有するかを表示することを特徴とする請求項５に記載の画像処理装置。
【請求項７】
画像処理装置の修理依頼の指示を受付ける修理依頼指示受付手段を備え、
前記表示手段は、前記修理依頼指示受付手段によって修理依頼の指示を受付けると、他の画像処理装置で処理すべきユーザのジョブを表示することを特徴とする請求項１乃至６の何れか１項に記載の画像処理装置。
【請求項８】
前記表示手段は、他の画像処理装置で処理すべきジョブとして、修理依頼時のユーザのログイン後に処理したジョブを表示することを特徴とする請求項７に記載の画像処理装置。
【請求項９】
前記表示手段は、他の画像処理装置で処理すべきジョブとして、自身の画像処理装置に未処理で蓄積されたユーザのジョブを表示することを特徴とする請求項７または８に記載の画像処理装置。
【請求項１０】
前記判定手段は、修理依頼情報に基づいて画像処理装置が修理依頼中であるかを判定し、
前記表示手段は、前記操作により行われる処理内容として、ジョブの設定にかかる情報を表示することを特徴とする請求項１乃至９の何れか１項に記載の画像処理装置。
【請求項１１】
操作を受付ける操作受付手段と、
前記操作受付手段によって操作を受付けると、画像処理装置が修理依頼中であるかを判定する判定手段と、
前記判定手段によって画像処理装置が修理依頼中であると判定した場合、自身の画像処理装置と異なる他の画像処理装置を表示する表示手段と、
を備えたことを特徴とする画像処理装置。
【請求項１２】
複数の画像処理装置からなる画像処理システムであって、
前記画像処理装置は、
操作を受付ける操作受付手段と、
前記操作受付手段によって操作を受付けると、画像処理装置が修理依頼中であるかを判定する判定手段と、
前記判定手段によって画像処理装置が修理依頼中であると判定した場合、自身の画像処理装置と異なる他の画像処理装置を表示する表示手段と、
前記表示された他の画像処理装置に対して、前記操作により行われるジョブを要求する要求手段と、
を備え、
前記他の画像処理装置は、
前記要求手段によって要求されたジョブを保存する保存手段と、
を備えたことを特徴とする画像処理システム。
【請求項１３】
修理依頼を行う画像処理装置の制御方法であって、
前記画像処理装置は、
操作を受付ける操作受付ステップと、
前記操作受付ステップによって操作を受付けると、画像処理装置が修理依頼中であるかを判定する判定ステップと、
前記判定ステップによって画像処理装置が修理依頼中であると判定した場合、修理依頼内容と前記操作により行われる処理内容とにかかる情報を表示する表示ステップと、
を実行することを特徴とする印刷装置の制御方法。
【請求項１４】
コンピュータを、
操作を受付ける操作受付手段と、
前記操作受付手段によって操作を受付けると、画像処理装置が修理依頼中であるかを判定する判定手段と、
前記判定手段によって画像処理装置が修理依頼中であると判定した場合、修理依頼内容と前記操作により行われる処理内容とにかかる情報を表示する表示手段と、
して機能させるためのプログラム。
【請求項１５】
修理依頼を行う画像処理装置の制御方法であって、
前記画像処理装置は、
操作を受付ける操作受付ステップと、
前記操作受付ステップによって操作を受付けると、画像処理装置が修理依頼中であるかを判定する判定ステップと、
前記判定ステップによって画像処理装置が修理依頼中であると判定した場合、自身の画像処理装置と異なる他の画像処理装置を表示する表示ステップと、
を実行することを特徴とする画像処理装置の制御方法。
【請求項１６】
コンピュータを、
操作を受付ける操作受付手段と、
前記操作受付手段によって操作を受付けると、画像処理装置が修理依頼中であるかを判定する判定手段と、
前記判定手段によって画像処理装置が修理依頼中であると判定した場合、修理依頼内容と前記操作により行われる処理内容とにかかる情報を表示する表示手段と、
して機能させるためのプログラム。
【請求項１７】
複数の画像処理装置からなる印刷システムの制御方法であって、
前記画像処理装置は、
操作を受付ける操作受付ステップと、
前記操作受付ステップによって操作を受付けると、画像処理装置が修理依頼中であるかを判定する判定ステップと、
前記判定ステップによって画像処理装置が修理依頼中であると判定した場合、自身の画像処理装置と異なる他の画像処理装置を表示する表示ステップと、
前記表示された他の画像処理装置に対して、前記操作により行われるジョブを要求する要求ステップと、
を実行し、
前記他の画像処理装置は、
前記要求ステップによって要求されたジョブを保存する保存ステップと、
を実行することを特徴とする画像処理システムの制御方法。
【手続補正２】
【補正対象書類名】明細書
【補正対象項目名】０００７
【補正方法】変更
【補正の内容】
【０００７】
そこで、本発明では、修理依頼中の画像処理装置においても、ユーザが利用し易い仕組みを提供することを目的とする。
【手続補正３】
【補正対象書類名】明細書
【補正対象項目名】０００８
【補正方法】変更
【補正の内容】
【０００８】
上記課題を解決するための発明は、操作を受付ける操作受付手段と、画像処理装置が修理依頼中であるかを判定する判定手段と、前記判定手段によって画像処理装置が修理依頼中である場合、修理依頼内容と前記操作により行われる処理内容とにかかる情報を表示する表示手段と、を備えたことを特徴とする。
【手続補正４】
【補正対象書類名】明細書
【補正対象項目名】０００９
【補正方法】変更
【補正の内容】
【０００９】
本発明によれば、修理依頼中の画像処理装置においても、ユーザが容易に利用することができる、という効果を奏する。